(57)【要約】【課題】シャッタの意匠性向上を図る。【解決手段】シャッタ１５を、複数のシャッタ構成部材を屈曲可能に連結してなる主シャッタと、可撓性を有するシート体からなる副シャッタ２２とに分割する。一対のガイド溝部３１を、主シャッタのスライドをガイドする一対の主ガイド溝部と、副直線溝部３７及び副湾曲溝部３８を備え、副シャッタ２２のスライドをガイドする一対の副ガイド溝部３６とに分割する。副直線溝部３７によるガイド（図８（Ａ））に際し、副シャッタ２２は形態変更部により、スライド方向には直線状をなし、かつ幅方向には厚み方向についての外側へ膨らむように湾曲する第１の形態にされる。副湾曲溝部３８によるガイド（図８（Ｂ））に際し、副シャッタ２２は形態変更部により、スライド方向には同副湾曲溝部３８に沿って外側へ膨らむように湾曲し、かつ幅方向に平坦な第２の形態にされる。【選択図】図８
2013204256.tif 000002
【特許請求の範囲】
【請求項１】
物入れ本体とその隣に並設されたシャッタ格納部とにおいて、シャッタの幅方向についての側部に設けられたガイド溝部に沿って同シャッタをスライドさせて、前記物入れ本体の開口部を開閉するシャッタ式物入れであって、
前記シャッタは、複数のシャッタ構成部材を、前記物入れ本体及び前記シャッタ格納部の並設方向に並べて屈曲可能に連結してなる主シャッタと、前記主シャッタの厚み方向についての外側に配置された可撓性を有するシート体からなり、前記主シャッタに連結された副シャッタとに分割されており、
前記ガイド溝部は、前記主シャッタのスライドをガイドする主ガイド溝部と、前記副シャッタのスライドを、前記物入れ本体において直線状にガイドする直線溝部、及び前記シャッタ格納部において外側へ膨らむ湾曲状にガイドする湾曲溝部を備える副ガイド溝部とに分割され、
さらに、前記直線溝部によるガイドに際し、前記副シャッタを、スライド方向には直線状をなし、前記幅方向には前記厚み方向についての外側へ膨らむように湾曲する第１の形態にし、前記湾曲溝部によるガイドに際し、前記副シャッタを、少なくともスライド方向には同湾曲溝部に沿って外側へ膨らむように湾曲する第２の形態にする形態変更部が設けられていることを特徴とするシャッタ式物入れ。
【請求項２】
前記形態変更部は、前記第２の形態では前記副シャッタを前記幅方向に平坦にするものである請求項１に記載のシャッタ式物入れ。
【請求項３】
前記シャッタ構成部材は、前記幅方向には前記厚み方向についての外側へ膨らむ湾曲面を有しており、
前記副シャッタの主要部は、厚みが均一となるように形成されており、
前記副ガイド溝部は、前記直線溝部によるガイド時には前記副シャッタを前記湾曲面に接触させることにより前記第１の形態にし、前記湾曲溝部によるガイド時には前記副シャッタを前記湾曲面から離間させることにより前記第２の形態にすることで、前記形態変更部を構成するものである請求項２に記載のシャッタ式物入れ。
【請求項４】
前記湾曲溝部と前記主ガイド溝部との間隔は、前記直線溝部と前記主ガイド溝部との間隔よりも大きく設定されている請求項３に記載のシャッタ式物入れ。
【請求項５】
前記主ガイド溝部及び前記副ガイド溝部の間隔は、前記湾曲溝部の前記直線溝部との境界部分では、同直線溝部から遠ざかるに従い徐々に拡大されている請求項４に記載のシャッタ式物入れ。
【請求項６】
前記副シャッタは、自身の一部に、前記副ガイド溝部にスライド可能に挿入されるレール部を有している請求項１〜５のいずれか１つに記載のシャッタ式物入れ。
【請求項７】
前記副シャッタは、軟質樹脂により形成された板状の軟質部と、前記軟質部を前記副シャッタの厚み方向についての外側から被覆して前記副シャッタを加飾する表皮と、前記軟質部を前記厚み方向についての内側から被覆して前記軟質部の形状を保持するシートとを備え、
前記表皮及び前記シートは、前記軟質部から前記副ガイド溝部に向けて延びる延出部をそれぞれ有しており、
前記表皮の延出部及び前記シートの延出部が、重ね合わされて互いに結合されることにより、前記レール部が形成されている請求項６に記載のシャッタ式物入れ。
【請求項８】
前記表皮の延出部及び前記シートの延出部は、縫合により互いに結合されている請求項７に記載のシャッタ式物入れ。
【発明の詳細な説明】
【技術分野】
【０００１】
本発明は、物入れ本体及びシャッタ格納部間でシャッタをガイド溝部に沿ってスライドさせることにより、物入れ本体の開口部を開閉するシャッタ式物入れに関するものである。
【背景技術】
【０００２】
例えば、自動車のセンターコンソール等に設けられる物入れの一形態として、シャッタ式物入れがある。このシャッタ式物入れは、物入れ本体、シャッタ格納部、一対のガイド溝部及びシャッタを備えている。
【０００３】
物入れ本体は、小物等を出し入れするための開口部を上端に有している。シャッタ格納部は、シャッタを格納するための箇所であり、物入れ本体の隣に並設されている。両ガイド溝部は、物入れ本体及びシャッタ格納部において、シャッタの幅方向についての両側で相対向する一対の側壁部に設けられており、シャッタのスライドをガイドする。
【０００４】
上記シャッタ式物入れの一形態として、シャッタが主シャッタ及び副シャッタに分割されたものが、例えば特許文献１に記載されている。主シャッタは、シャッタの強度や剛性を確保することを主な機能とし、副シャッタは、シャッタの外観（意匠性）向上を図ることを主な機能としている。
【０００５】
図１３に示すように、上記シャッタ式物入れでは、シャッタ５０の主シャッタ５１は、複数のシャッタ構成部材５２を、物入れ本体５３及びシャッタ格納部５５の並設方向（図１３において紙面に直交する方向）に並べて屈曲可能に連結することにより構成されている。
【０００６】
これに対し、シャッタ５０の副シャッタ５６は、可撓性を有するシート体からなり、主シャッタ５１に対して厚み方向についての外側（図１３の上側）に位置するように重ねて配置されている。副シャッタ５６は、上記並設方向についての物入れ本体５３側の端部において主シャッタ５１に連結されている。
【０００７】
また、ガイド溝部５７が、主ガイド溝部５８及び副ガイド溝部５９に分割されている。主ガイド溝部５８及び副ガイド溝部５９は、いずれも、物入れ本体５３において直線状に設けられた直線溝部と、シャッタ格納部５５において外側へ膨らむ湾曲状に設けられた湾曲溝部とを備えている。
【０００８】
そして、主シャッタ５１を主ガイド溝部５８の直線溝部及び湾曲溝部に沿ってスライドさせることで、副シャッタ５６が主シャッタ５１に追従して副ガイド溝部５９の直線溝部及び湾曲溝部に沿ってスライドし、物入れ本体５３の開口部５４が開閉される。
【先行技術文献】
【特許文献】
【０００９】
【特許文献１】特開２００６−５７３７２号公報
【発明の概要】
【発明が解決しようとする課題】
【００１０】
ところが、上記特許文献１に記載されたシャッタ式物入れでは、主シャッタ５１における各シャッタ構成部材５２の厚み方向についての外側の面が平らに形成され、副シャッタ５６の厚み方向についての外側の面が平らに形成されている。そのため、副シャッタ５６、ひいてはシャッタ５０の外観が変化に乏しく単調となり、意匠性の向上を図るうえで改善の余地がある。
【００１１】
本発明は、このような実情に鑑みてなされたものであって、その目的は、シャッタの意匠性向上を図ることのできるシャッタ式物入れを提供することにある。
【課題を解決するための手段】
【００１２】
上記の目的を達成するために、請求項１に記載の発明は、物入れ本体とその隣に並設されたシャッタ格納部とにおいて、シャッタの幅方向についての側部に設けられたガイド溝部に沿って同シャッタをスライドさせて、前記物入れ本体の開口部を開閉するシャッタ式物入れであって、前記シャッタは、複数のシャッタ構成部材を、前記物入れ本体及び前記シャッタ格納部の並設方向に並べて屈曲可能に連結してなる主シャッタと、前記主シャッタの厚み方向についての外側に配置された可撓性を有するシート体からなり、前記主シャッタに連結された副シャッタとに分割されており、前記ガイド溝部は、前記主シャッタのスライドをガイドする主ガイド溝部と、前記副シャッタのスライドを、前記物入れ本体において直線状にガイドする直線溝部、及び前記シャッタ格納部において外側へ膨らむ湾曲状にガイドする湾曲溝部を備える副ガイド溝部とに分割され、さらに、前記直線溝部によるガイドに際し、前記副シャッタを、スライド方向には直線状をなし、前記幅方向には前記厚み方向についての外側へ膨らむように湾曲する第１の形態にし、前記湾曲溝部によるガイドに際し、前記副シャッタを、少なくともスライド方向には同湾曲溝部に沿って外側へ膨らむように湾曲する第２の形態にする形態変更部が設けられていることを要旨とする。
【００１３】
上記の構成によれば、物入れ本体の開口部の開閉に際し、主シャッタが主ガイド溝部に沿って、物入れ本体及びシャッタ格納部の並設方向へスライドさせられると、その主シャッタに連結された副シャッタが追従して、副ガイド溝部に沿って同方向へスライドさせられる。
【００１４】
副シャッタの上記スライドは、物入れ本体では副ガイド溝部の直線溝部によって直線状にガイドされる。
ここで、副シャッタが直線溝部に位置するときには、その副シャッタの厚み方向についての外側の面が、少なからず物入れ本体の開口部から露出する。しかし、このときには、可撓性を有するシート体からなる副シャッタが、形態変更部により、スライド方向には直線状をなし、かつ幅方向には厚み方向についての外側へ膨らむように湾曲する第１の形態にされる。そのため、副シャッタの厚み方向についての外側の面が平らに形成されている場合に比べ、副シャッタ、ひいてはシャッタの外観が変化に富んだものとなり、意匠性が向上する。
【００１５】
また、副シャッタの上記スライドは、シャッタ格納部では副ガイド溝部の湾曲溝部によってガイドされる。この際、副シャッタは、形態変更部により、少なくともスライド方向には湾曲溝部に沿って外側へ膨らむように湾曲する第２の形態にされる。
【００１６】
ここで、副シャッタが湾曲溝部に位置するときには、その副シャッタの厚み方向についての外側の面は露出しない。そのため、副シャッタはシャッタの外観に影響しない。
請求項２に記載の発明は、請求項１に記載の発明において、前記形態変更部は、前記第２の形態では前記副シャッタを前記幅方向に平坦にするものであることを要旨とする。
【００１７】
上記の構成によれば、副シャッタが湾曲溝部に位置するときには、副シャッタは形態変更部により、スライド方向には湾曲溝部に沿って外側へ膨らむように湾曲し、かつ幅方向には平坦となる第２の形態にされる。
【００１８】
請求項３に記載の発明は、請求項２に記載の発明において、前記シャッタ構成部材は、前記幅方向には前記厚み方向についての外側へ膨らむ湾曲面を有しており、前記副シャッタの主要部は、厚みが均一となるように形成されており、前記副ガイド溝部は、前記直線溝部によるガイド時には前記副シャッタを前記湾曲面に接触させることにより前記第１の形態にし、前記湾曲溝部によるガイド時には前記副シャッタを前記湾曲面から離間させることにより前記第２の形態にすることで、前記形態変更部を構成するものであることを要旨とする。
【００１９】
上記の構成によれば、可撓性を有するシート体からなる副シャッタは、その幅方向や厚み方向へ撓み得る。この副シャッタは、直線溝部に位置するときには、シャッタ構成部材の湾曲面に接触し、シャッタ構成部材から押圧力を受ける。この押圧力により、副シャッタはシャッタ構成部材の湾曲面に沿って撓み、上記第１の形態になる。
【００２０】
第１の形態では、副シャッタの厚み方向についての内側に主シャッタが位置する。この主シャッタは、シャッタの骨格部材として機能し、強度や剛性を発揮する。そのため、副シャッタを通じてシャッタに荷重が加わった場合、その荷重は主シャッタによって受け止められる。
【００２１】
また、副シャッタは、湾曲溝部に位置するときには、主シャッタから離間する。この離間に伴い、シャッタ構成部材による上記押圧力が加わらなくなる。副シャッタは、自身の弾性復元力により、平らな状態に戻ろうとし、上記第２の形態になる。
【００２２】
請求項４に記載の発明は、請求項３に記載の発明において、前記湾曲溝部と前記主ガイド溝部との間隔は、前記直線溝部と前記主ガイド溝部との間隔よりも大きく設定されていることを要旨とする。
【００２３】
上記の構成によれば、副ガイド溝部では、直線溝部と主ガイド溝部との間隔が、湾曲溝部と主ガイド溝部との間隔よりも小さい。このことから、副シャッタは、直線溝部に位置するときには、シャッタ構成部材の湾曲面に接触し、湾曲溝部に位置するときには、シャッタ構成部材の湾曲面から離間する。
【００２４】
請求項５に記載の発明は、請求項４に記載の発明において、前記主ガイド溝部及び前記副ガイド溝部の間隔は、前記湾曲溝部の前記直線溝部との境界部分では、同直線溝部から遠ざかるに従い徐々に拡大されていることを要旨とする。
【００２５】
上記の構成によれば、副シャッタが、湾曲溝部の直線溝部との境界部分において、直線溝部から湾曲溝部へ向けてスライドするときには、主ガイド溝部及び副ガイド溝部の間隔が徐々に拡大される。副シャッタがシャッタ構成部材の湾曲面から徐々に離間し、副シャッタの湾曲形態が第１の形態から第２の形態に徐々に変化させられる。
【００２６】
また、副シャッタが、上記境界部分において、湾曲溝部から直線溝部へ向けてスライドするときには、主ガイド溝部及び副ガイド溝部の間隔が徐々に縮小される。副シャッタがシャッタ構成部材の湾曲面に徐々に接近し、副シャッタの湾曲形態が第２の形態から第１の形態に徐々に変化させられる。
【００２７】
請求項６に記載の発明は、請求項１〜５のいずれか１つに記載の発明において、前記副シャッタは、自身の一部に、前記副ガイド溝部にスライド可能に挿入されるレール部を有していることを要旨とする。
【００２８】
上記の構成によれば、副ガイド溝部に挿入された副シャッタの一部は、レール部として機能する。このレール部において副シャッタが副ガイド溝部（直線溝部、湾曲溝部）に沿ってスライドされると、物入れ本体の開口部が開閉される。
【００２９】
請求項７に記載の発明は、請求項６に記載の発明において、前記副シャッタは、軟質樹脂により形成された板状の軟質部と、前記軟質部を前記副シャッタの厚み方向についての外側から被覆して前記副シャッタを加飾する表皮と、前記軟質部を前記厚み方向についての内側から被覆して前記軟質部の形状を保持するシートとを備え、前記表皮及び前記シートは、前記軟質部から前記副ガイド溝部に向けて延びる延出部をそれぞれ有しており、前記表皮の延出部及び前記シートの延出部が、重ね合わされて互いに結合されることにより、前記レール部が形成されていることを要旨とする。
【００３０】
上記の構成によれば、副シャッタは軟質部を芯とし、この軟質部を表皮及びシートによって被覆することで形成される。こうした構成の副シャッタでは、表皮は、副シャッタを加飾する機能を発揮し、シートは軟質部の形状を保持する機能を発揮する。
【００３１】
さらに、表皮及びシートにおいて軟質部から副ガイド溝部に向けて延びる延出部は、重ね合わされて互いに結合されることにより、レール部として機能する。
請求項８に記載の発明は、請求項７に記載の発明において、前記表皮の延出部及び前記シートの延出部は、縫合により互いに結合されていることを要旨とする。
【００３２】
上記の構成によれば、表皮の延出部及びシートの延出部が接着剤、粘着剤等によって接合させることが困難な場合であっても、両延出部を縫合するといった簡単な作業が行なわれるだけで、両延出部が互いに結合されて、レール部が形成される。
【発明の効果】
【００３３】
本発明によれば、直線溝部によるガイドに際し、副シャッタを、スライド方向には直線状をなし、幅方向には厚み方向についての外側へ膨らむように湾曲する第１の形態にし、湾曲溝部によるガイドに際し、副シャッタを、スライド方向には湾曲溝部に沿って外側へ膨らむように湾曲する第２の形態にすることができ、シャッタの意匠性向上を図ることができる。
【図面の簡単な説明】
【００３４】
【図１】本発明を具体化した一実施形態におけるシャッタ式物入れの構成部材を示す分解斜視図。
【図２】一実施形態における主ガイド溝部及び副ガイド溝部の関係を模式的に示す側面図。
【図３】一実施形態において、副シャッタが副ガイド溝部の副直線溝部に位置するときの主・副両シャッタと、主・副両ガイド溝部との関係を模式的に示す側面図。
【図４】一実施形態において、副シャッタが、副ガイド溝部の副湾曲溝部及び残部に位置するときの主・副両シャッタと、主・副両ガイド溝部との関係を模式的に示す側面図。
【図５】一実施形態において、副シャッタが副ガイド溝部の副直線溝部に位置するときの主・副両シャッタ及びその周辺部分を示す部分断面図。
【図６】図５の左半分を拡大して示す部分断面図。
【図７】一実施形態において、副シャッタが副ガイド溝部の湾曲溝部に位置するときの主・副両シャッタ及びその周辺部分を示す部分断面図。
【図８】一実施形態を示す図であり、（Ａ）は副シャッタが副ガイド溝部の副直線溝部に位置するときの形態（第１の形態）を示す模式図、（Ｂ）は副シャッタが副ガイド溝部の副湾曲溝部及び残部に位置するときの形態（第２の形態）を示す模式図。
【図９】図６に対応する図であり、副シャッタ及びレール部の変更例を示す部分断面図。
【図１０】同じく図６に対応する図であり、副シャッタの変更例を示す部分断面図。
【図１１】形態変更部の変更例を示す図であり、（Ａ）は副シャッタが副ガイド溝部の副直線溝部に位置するときの形態（第１の形態）を示す模式図、（Ｂ）は副シャッタが副ガイド溝部の副湾曲溝部及び残部に位置するときの形態（第２の形態）を示す模式図。
【図１２】図５に対応する図であり、主シャッタ及び副シャッタの変更例を示す部分断面図。
【図１３】従来のシャッタ式物入れを示す部分断面図。
【発明を実施するための形態】
【００３５】
以下、本発明を、自動車のセンターコンソールに設けられるシャッタ式物入れに具体化した一実施形態について、図１〜図８を参照して説明する。なお、以下の記載においては、自動車の進行方向（前進方向）を前方とし、後退方向を後方として説明する。
【００３６】
センターコンソールは、自動車の運転席と助手席との間の床（フロア）上に配設される。センターコンソールにはシフトレバー、サイドブレーキレバー等の操作部が設けられるほか、シャッタ式物入れが設けられる。
【００３７】
図１に示すように、シャッタ式物入れ１０は、物入れ本体１１及びシャッタ格納部１３を備えている。物入れ本体１１は、飲料容器、小物等を収容する箇所であり、前後方向に細長い形状をなしている。物入れ本体１１は、自身の上端に開口部１２を有しており、この開口部１２を通じて上記小物等が物入れ本体１１に対し出し入れされる。シャッタ格納部１３は、開口部１２の開放時にシャッタ１５を邪魔にならない箇所に格納するためのものであり、物入れ本体１１の隣（後側）に並設されている。
【００３８】
物入れ本体１１の開口部１２及びシャッタ格納部１３において、それらの並設方向（前後方向）に直交する方向についての両側部は、相対向する一対の側壁部１４によって構成されている。両側壁部１４についての上記方向は、車幅方向や、後述するシャッタ１５の幅方向と同一である。両側壁部１４において相対向する箇所には、それぞれ図２に示すガイド溝部３１が設けられている。そして、図３及び図４において二点鎖線で示すように、シャッタ１５が上記両ガイド溝部３１に沿ってスライドされることにより、物入れ本体１１の上記開口部１２が開閉される。
【００３９】
図１及び図５に示すように、シャッタ１５は、骨格部分をなす主シャッタ１６と、副シャッタ２２とに分割されている。
主シャッタ１６は、互いに同一の形状を有する複数のシャッタ構成部材１７を備えている。各シャッタ構成部材１７は、ＡＢＳ（アクリロニトリル・ブタジエン・スチレン重合体）、ポリプロピレン等の硬質樹脂によって、上記幅方向へ延びる横長の形状に形成されていて、シャッタ１５に必要な剛性や強度を確保するようにしている。各シャッタ構成部材１７は、幅方向には自身の厚み方向についての外側（図１及び図５の各上側）へ膨らむ湾曲面１８を有している。この湾曲面１８における膨らみ量は、幅方向についての両端で最小であり、中央部で最大となっている。上記複数のシャッタ構成部材１７は、前後方向へ互いに離間した状態で並べられている。各シャッタ構成部材１７において上記幅方向についての両端からは、同幅方向についての外側へ向けて軸部１９がそれぞれ突出している。
【００４０】
図１及び図６に示すように、複数のシャッタ構成部材１７には、それらの上側に配置された、不織布テープ等の布テープ２１が貼着されている。複数のシャッタ構成部材１７は、上記布テープ２１によって前後方向に屈曲可能に連結されている。上述したように、各シャッタ構成部材１７が湾曲面１８を有していることから、これらの湾曲面１８に貼着された布テープ２１も、湾曲面１８に沿って、幅方向には各シャッタ構成部材１７の厚み方向についての外側（図６の上側）へ膨らむように湾曲している。
【００４１】
副シャッタ２２は、主シャッタ１６の厚み方向についての外側（図１及び図６の各上側）に配置されたシート体からなり、可撓性を有している。副シャッタ２２は、前後方向に細長い形状をなしている。副シャッタ２２は、図示はしないが、物入れ本体１１及びシャッタ格納部１３の並設方向（前後方向）についての同物入れ本体１１側の端部、すなわち同副シャッタ２２の前端部において主シャッタ１６に連結されている。
【００４２】
副シャッタ２２は、軟質部２３、表皮２４及びシート２５を備えている。軟質部２３は、副シャッタ２２の主要部をなすものであり、発泡ポリウレタン等の軟質樹脂によって、厚みが均一の板状に形成されている。この軟質部２３は、厚みの均一な軟質樹脂製の平板を所望の形状となるように打ち抜く（余剰部分をトリミングする（取り除く））ことによって形成されている。
【００４３】
表皮２４は、副シャッタ２２を加飾するためのものであり、伸縮性を有する樹脂材料によって形成されている。表皮２４は、軟質部２３を同副シャッタ２２の厚み方向についての外側（図６の上側）から被覆している。表皮２４は軟質部２３の側面も被覆している。シート２５は、軟質部２３の形状を保持するためのものであり、ＰＣ（ポリカーボネート）等によって形成されている。シート２５は、軟質部２３を前記厚み方向についての内側（図６の下側）から被覆している。シート２５は、粘着剤、接着剤等によって軟質部２３に貼着されている。
【００４４】
上記表皮２４及びシート２５は、軟質部２３から幅方向についての外側（後述する副ガイド溝部３６）へ向けて延びる一対の延出部２４Ａ，２５Ａをそれぞれ有している。表皮２４の延出部２４Ａと、これに対応するシート２５の延出部２５Ａとは、重ね合わされている。両延出部２４Ａ，２５Ａは、縫合により互いに結合されている。このようにして、軟質部２３の幅方向についての両側には、両延出部２４Ａ，２５Ａからなる硬質のレール部２６が一対形成されている。すなわち、表皮２４及びシート２５の各延出部２４Ａ，２５Ａは、単独では薄く強度が十分高くない場合があり得る。しかし、両延出部２４Ａ，２５Ａが重ね合わされて結合されることで、厚みが増して一体となり、レール部２６は強度の高いものとなっている。
【００４５】
なお、上記の構成を有するシャッタ１５の前端部には、そのシャッタ１５のスライド操作時に指先で摘むための摘み部（図示略）が設けられている。
図６に示すように、各ガイド溝部３１は、主シャッタ１６のスライドをガイドする主ガイド溝部３２と、副シャッタ２２のスライドをガイドする副ガイド溝部３６とに分割されている。
【００４６】
図２に示すように、各主ガイド溝部３２は、物入れ本体１１とシャッタ格納部１３とで異なる形状をなしている。物入れ本体１１では、各主ガイド溝部３２の略全体は、前後方向に延びる直線状をなしている。物入れ本体１１における各主ガイド溝部３２のこの部分を、以下「主直線溝部３３」というものとする。
【００４７】
これに対し、シャッタ格納部１３では、主シャッタ１６の格納スペースをできるだけ小さくするために、各主ガイド溝部３２の一部が所定の曲率（湾曲の度合い）で外側（後側）へ膨らむように湾曲されている。各主ガイド溝部３２のこの部分を、以下「主湾曲溝部３４」というものとする。シャッタ格納部１３では、各主ガイド溝部３２の残部（主湾曲溝部３４を除く部分）３５は、主湾曲溝部３４の前側で前後方向に延びる直線状をなしている。
【００４８】
そして、上記シャッタ構成部材１７毎の軸部１９が、対応する主ガイド溝部３２（主直線溝部３３、主湾曲溝部３４、残部３５）内にスライド可能に挿入されている（図６参照）。
【００４９】
各副ガイド溝部３６は、上記各主ガイド溝部３２と同様、物入れ本体１１とシャッタ格納部１３とで異なる形状をなしている。物入れ本体１１では、各副ガイド溝部３６の略全体は、上記主直線溝部３３よりも主シャッタ１６の厚み方向についての外側（図２の上側）において、前後方向に延びる直線状をなしている。各副ガイド溝部３６のこの部分を、以下「副直線溝部３７」というものとする。各副直線溝部３７は、副シャッタ２２を前後方向に直線状にガイドするためのものであり、特許請求の範囲における「直線溝部」に該当する。
【００５０】
各副直線溝部３７は、上記主直線溝部３３に接近した箇所に形成されている。副直線溝部３７と主直線溝部３３との間隔Ｄ１は、前後方向についてのどの箇所においても小さく、かつ一定に設定されている。この間隔Ｄ１は、両副直線溝部３７による副シャッタ２２のガイド時に、同副シャッタ２２を各シャッタ構成部材１７の湾曲面１８に接触させることのできる間隔である（図６参照）。複数のシャッタ構成部材１７に布テープ２１を貼着することで主シャッタ１６を構成している本実施形態では、上記間隔Ｄ１は、副シャッタ２２（シート２５）を布テープ２１に接触させることのできる間隔である。
【００５１】
これに対し、シャッタ格納部１３では、副シャッタ２２の格納スペースをできるだけ小さくするために、各副ガイド溝部３６の一部が、上記主湾曲溝部３４よりも若干小さな曲率（湾曲の度合い）で外側（後側）へ膨らむように湾曲されている。各副ガイド溝部３６のこの部分を、以下「副湾曲溝部３８」というものとする。各副湾曲溝部３８は、副シャッタ２２をシャッタ格納部１３において外側へ膨らむ湾曲状にガイドするためのものであり、特許請求の範囲における「湾曲溝部」に該当する。シャッタ格納部１３では、各副ガイド溝部３６の残部（副湾曲溝部３８を除く部分）３９は、副湾曲溝部３８の前側で前後方向に延びる直線状をなしている。
【００５２】
各副湾曲溝部３８は、上記主湾曲溝部３４の外側に接近した箇所に形成されている。各副湾曲溝部３８において副直線溝部３７との境界部分３８Ａを除く箇所では、副湾曲溝部３８と主湾曲溝部３４との間隔Ｄ２は、副直線溝部３７と主直線溝部３３との上記間隔Ｄ１よりも大きく、かつ一定の値に設定されている。この間隔Ｄ２は、副湾曲溝部３８による副シャッタ２２のガイド時に、同副シャッタ２２を主シャッタ１６から外側へ離間（図７参照）させることのできる間隔である。
【００５３】
このように、副湾曲溝部３８と主湾曲溝部３４との間隔Ｄ２が、副直線溝部３７と主直線溝部３３との間隔Ｄ１よりも大きく設定されている副ガイド溝部３６は、副シャッタ２２の湾曲形態を、第１の形態及び第２の形態のいずれかにするとともに、副ガイド溝部３６における副シャッタ２２の位置に応じて変更する形態変更部を構成している。第１の形態は、図８（Ａ）に示すように両副直線溝部３７によるガイドに際し、副シャッタ２２を、スライド方向には直線状をなし、かつ幅方向には厚み方向についての外側へ膨らむように湾曲する湾曲形態である。第２の形態は、図８（Ｂ）に示すように、両副湾曲溝部３８によるガイドに際し、副シャッタ２２をスライド方向には同副湾曲溝部３８に沿って外側へ膨らむように湾曲し、かつ幅方向には平坦にする湾曲形態である。
【００５４】
図２に示すように、副湾曲溝部３８毎の上記境界部分３８Ａでは、副湾曲溝部３８と主湾曲溝部３４との間隔Ｄ３は、上記間隔Ｄ１〜間隔Ｄ２の範囲（Ｄ１＜Ｄ３＜Ｄ２）であることを条件に、副直線溝部３７から遠ざかるに従い徐々に大きくなるように設定されている。この間隔Ｄ３は、副直線溝部３７による副シャッタ２２のガイドから副湾曲溝部３８による副シャッタ２２のガイドに移行する際に、主シャッタ１６（布テープ２１）に接触している副シャッタ２２をその主シャッタ１６（布テープ２１）から徐々に離間させることのできる間隔である。また、上記間隔Ｄ３は、副湾曲溝部３８による副シャッタ２２のガイドから副直線溝部３７による副シャッタ２２のガイドに移行する際に、主シャッタ１６（布テープ２１）から離間している副シャッタ２２を、その主シャッタ１６（布テープ２１）に徐々に接近させることのできる間隔である。
【００５５】
上記残部３９は、上記残部３５の外側（図２の下側）に接近した箇所に形成されている。残部３９と残部３５との間隔は、上記副湾曲溝部３８と主湾曲溝部３４との間隔Ｄ２と同一に設定されている。
【００５６】
そして、上記副シャッタ２２の両レール部２６が、対応する副ガイド溝部３６（副直線溝部３７、副湾曲溝部３８、残部３９）内にスライド可能に挿入されている。
上記のようにして、本実施形態のシャッタ式物入れ１０が構成されている。次に、このシャッタ式物入れ１０の作用について説明する。
【００５７】
このシャッタ式物入れ１０では、主シャッタ１６及び副シャッタ２２が相互に連結されることでシャッタ１５が構成されている。そのため、摘み部（図示略）が指で摘まれて、主シャッタ１６が前後方向へ押されたり引っ張られたりすると、同主シャッタ１６が両主ガイド溝部３２に沿ってスライドする。これに追従して、副シャッタ２２が両副ガイド溝部３６に沿ってスライドする。シャッタ１５の上記スライドは、シャッタ１５がシャッタ格納部１３から引き出されて開口部１２を閉塞する「閉位置」（図３）と、同シャッタ１５がシャッタ格納部１３内に格納されて開口部１２を大きく開放する「開位置」（図４）との間で行なわれる。
【００５８】
「閉位置」では、主シャッタ１６におけるシャッタ構成部材１７毎の一対の軸部１９が、各主ガイド溝部３２の主直線溝部３３に係合し、副シャッタ２２の一対のレール部２６が各副ガイド溝部３６の副直線溝部３７に係合する。副シャッタ２２の厚み方向についての外側の面が、少なからず物入れ本体１１の開口部１２から露出する。各副ガイド溝部３６では、副直線溝部３７と主直線溝部３３との間隔Ｄ１が、副湾曲溝部３８と主湾曲溝部３４との間隔Ｄ２よりも小さく、副直線溝部３７が主直線溝部３３に接近している。各シャッタ構成部材１７の厚み方向についての外側に位置する副シャッタ２２に対しては、外側へ膨らむように湾曲した湾曲面１８を有するシャッタ構成部材１７から、布テープ２１を介し上方へ向かう押圧力が加わる。
【００５９】
ここで、可撓性を有する軟質部２３を主要部とする副シャッタ２２は、シャッタ１５の幅方向や厚み方向へ撓み得る。従って、上記押圧力を受けた副シャッタ２２は、シャッタ構成部材１７の湾曲面１８（布テープ２１）に沿って弾性変形する。すなわち、副シャッタ２２は、スライド方向には直線状をなし、かつ幅方向には厚み方向についての外側へ膨らむように湾曲する第１の形態にされる。副シャッタ２２が、均一な厚みを有する板状をなしていることから、同副シャッタ２２の厚み方向についての外側の面は、幅方向には同厚み方向についての外側へ膨らむように湾曲する。そのため、副シャッタ５６の厚み方向についての外側の面が平らに形成されている特許文献１に記載のシャッタ式物入れに比べ、副シャッタ２２の外観が変化に富んだものとなる。
【００６０】
しかも、上記のように開口部１２から露出する副シャッタ２２では、図６に示すように表皮２４が、副シャッタ２２を加飾する機能を発揮する。さらに、副シャッタ２２では、シート２５が軟質部２３の形状を保持する機能を発揮する。
【００６１】
また、上記「閉位置」では、副シャッタ２２の厚み方向についての内側（図６の下側）には、硬質材料からなる主シャッタ１６が位置する。この主シャッタ１６は、シャッタ１５の骨格部材として機能し、強度や剛性を発揮する。そのため、シャッタ１５を肘置きとし、乗員が肘を副シャッタ２２上に置いた場合、その荷重は主シャッタ１６によって受け止められる。
【００６２】
このとき、副シャッタ２２では、表皮２４の厚み方向についての内側（図６の下側）に軟質部２３が位置しており、この軟質部２３が、副シャッタ２２に弾性を付与する機能を発揮する。そのため、副シャッタ２２に肘による荷重が加わった場合には、軟質部２３が弾性変形することで、副シャッタ２２が肘に対し柔らかく接触する。なお、乗員が肘を副シャッタ２２から離した場合には、上記のように弾性変形した軟質部２３は、自身の弾性復元力により元の形状に戻る。
【００６３】
これに対し「開位置」では、主シャッタ１６におけるシャッタ構成部材１７毎の一対の軸部１９が、各主ガイド溝部３２の主湾曲溝部３４及び残部３５に係合し、副シャッタ２２の一対のレール部２６が各副ガイド溝部３６の副湾曲溝部３８及び残部３９に係合する。副湾曲溝部３８と主湾曲溝部３４との間隔Ｄ２が、副直線溝部３７と主直線溝部３３との間隔Ｄ１よりも大きく、副湾曲溝部３８が主湾曲溝部３４に対し外側へ離間している。また、残部３９が残部３５に対し外側（図２の下側）に位置しており、残部３５と残部３９との間隔が、上記副湾曲溝部３８と主湾曲溝部３４との間隔Ｄ２と同じである。そのため、副シャッタ２２は、主シャッタ１６（布テープ２１）から外側へ離間し、シャッタ構成部材１７による上記押圧力が副シャッタ２２に加わらない。可撓性を有する軟質部２３を主要部とする副シャッタ２２は、自身の弾性復元力により、平らな状態になろうとする。従って、副シャッタ２２は、スライド方向には両副湾曲溝部３８に沿って外側へ膨らむように湾曲し、幅方向には平坦となる第２の形態にされる。
【００６４】
上記「開位置」では、物入れ本体１１の開口部１２が大きく開放されるため、この開口部１２を通じて物入れ本体１１に小物等を出し入れすることが可能となる。また、「開位置」では、副シャッタ２２はシャッタ格納部１３内に位置し、副シャッタ２２の厚み方向についての外側の面は、物入れ本体１１の開口部１２から露出しない。そのため、副シャッタ２２はシャッタ１５の外観に影響しない。
【００６５】
ところで、副シャッタ２２の湾曲形態を第１の形態から第２の形態に変更する場合、スライド方向には直線状をなし、かつ幅方向には厚み方向についての外側へ膨らむように湾曲している副シャッタ２２を、主シャッタ１６から離れた状態で、さらに副湾曲溝部３８に沿って外側へ膨らむように湾曲させ、かつ幅方向に平坦にすることは難しい。また、副シャッタ２２の湾曲形態を第２の形態から第１の形態に変更する場合、副湾曲溝部３８に沿って外側へ膨らむように湾曲し、かつ幅方向には平坦となっている副シャッタ２２を、主シャッタ１６から離れた状態で、さらにスライド方向には直線状をなし、かつ幅方向には厚み方向についての外側へ膨らむように湾曲させることは難しい。
【００６６】
この点、本実施形態では、シャッタ１５が上記「閉位置」と上記「開位置」との間でスライドさせられると、主シャッタ１６では、図６及び図７に示すように、シャッタ構成部材１７毎の軸部１９が、両主ガイド溝部３２に沿ってスライドする。また、副シャッタ２２では、表皮２４及びシート２５において軟質部２３から幅方向についての外側へ延びる延出部２４Ａ，２５Ａが、重ね合わされて互いに結合されることにより、硬質のレール部２６として機能する。副シャッタ２２の一部である一対のレール部２６が、両副ガイド溝部３６に沿ってスライドする。
【００６７】
副シャッタ２２の上記スライドは、物入れ本体１１では副ガイド溝部３６毎の副直線溝部３７によって直線状にガイドされる。また、副シャッタ２２の上記スライドは、シャッタ格納部１３では副ガイド溝部３６毎の副湾曲溝部３８によって湾曲状にガイドされるとともに、残部３９によって直線状にガイドされる。
【００６８】
副シャッタ２２が、副湾曲溝部３８毎の副直線溝部３７との境界部分３８Ａにおいて、副直線溝部３７から副湾曲溝部３８へ向けてスライドするときには、間隔Ｄ３が徐々に拡大される。これに伴い、副シャッタ２２がシャッタ構成部材１７の湾曲面１８から徐々に離間する。副シャッタ２２がシャッタ構成部材１７から受ける押圧力が徐々に小さくなり、同副シャッタ２２の幅方向には、シャッタ１５の厚み方向について外側へ膨らむ度合いが徐々に小さくなる。スライド方向には、直線状をなしていた副シャッタ２２は、両副湾曲溝部３８に沿って外側へ膨らむようになる。しかも、副シャッタ２２の両副湾曲溝部３８に沿って外側へ膨らむ度合いは、副直線溝部３７から遠ざかるに従い徐々に大きくなる。副シャッタ２２の湾曲形態が第１の形態から第２の形態に徐々に変化させられ、湾曲形態の切替えがスムーズに行なわれる。
【００６９】
また、副シャッタ２２が、上記境界部分３８Ａにおいて、副湾曲溝部３８から副直線溝部３７へ向けてスライドするときには、間隔Ｄ３が徐々に縮小される。これに伴い、副シャッタ２２がシャッタ構成部材１７の湾曲面１８に徐々に接近する。副シャッタ２２がシャッタ構成部材１７から受ける押圧力が徐々に大きくなり、同副シャッタ２２の幅方向には、シャッタ１５の厚み方向について外側へ膨らむ度合いが徐々に大きくなる。スライド方向には、副湾曲溝部３８に沿って外側へ膨らむ度合いが、副直線溝部３７に近づくに従い徐々に小さくなり、直線状に近づいていく。副シャッタ２２の湾曲形態が第２の形態から第１の形態に徐々に変化させられ、湾曲形態の切替えがスムーズに行なわれる。
【００７０】
以上詳述した本実施形態によれば、次の効果が得られる。
（１）シャッタ１５を、複数のシャッタ構成部材１７を布テープ２１で屈曲可能に連結してなる主シャッタ１６と、可撓性を有するシート体からなる副シャッタ２２とに分割する（図１）。ガイド溝部３１を、主ガイド溝部３２と、副直線溝部３７及び副湾曲溝部３８を備える副ガイド溝部３６とに分割する（図２）。副直線溝部３７によるガイドに際し、副シャッタ２２を、スライド方向には直線状をなし、かつ幅方向には厚み方向についての外側へ膨らむように湾曲する第１の形態にする（図８（Ａ））。副湾曲溝部３８によるガイドに際し、副シャッタ２２を、スライド方向には同副湾曲溝部３８に沿って外側へ膨らむように湾曲し、かつ幅方向には平坦となる第２の形態にしている（図８（Ｂ））。
【００７１】
そのため、副シャッタ２２を、副直線溝部３７に位置させ、開口部１２から露出させるときには、スライド方向には直線状をなし、かつ幅方向には厚み方向についての外側へ膨らむように湾曲させることができる。副シャッタ２２の厚み方向についての外側の面が平らである特許文献１に比べ、副シャッタ２２の外観を変化に富んだものとし、シャッタ１５の意匠性向上を図ることができる。
【００７２】
また、副シャッタ２２を、シャッタ格納部１３内において副湾曲溝部３８に位置させるときには、同副シャッタ２２が物入れ本体１１の開口部１２から露出しないようにし、シャッタ１５の意匠性をさらに向上させることができる。
【００７３】
（２）シャッタ構成部材１７毎に、厚み方向についての外側へ膨らむ湾曲面１８を形成する。副シャッタ２２の主要部である軟質部２３を、厚みが均一となるように形成する。副ガイド溝部３６について工夫することで、副直線溝部３７によるガイド時には、副シャッタ２２をシャッタ構成部材１７の湾曲面１８に接触させ（図６）、副湾曲溝部３８によるガイド時には、副シャッタ２２を上記湾曲面１８から離間させる（図７）ようにしている。
【００７４】
そのため、副シャッタ２２が副直線溝部３７に位置するとき（図６）には、その副シャッタ２２をシャッタ構成部材１７からの押圧力により、同シャッタ構成部材１７の湾曲面１８に沿って撓ませることができる。厚みが均一である副シャッタ２２のその厚み方向についての外側の面を、スライド方向には直線状をなし、かつ幅方向には厚み方向についての外側へ膨らむように湾曲させることができ、上記（１）の効果を得ることができる。
【００７５】
また、副シャッタ２２が副直線溝部３７に位置するときには、副シャッタ２２の内側に位置する主シャッタ１６により、シャッタ１５の強度や剛性を確保することができる。そのため、シャッタ式物入れ１０が肘置きとして使用され、副シャッタ２２を通じてシャッタ１５に肘等の荷重が加えられた場合であっても、その荷重を主シャッタ１６によって受け止めることができる。
【００７６】
さらに、副シャッタ２２が副湾曲溝部３８に位置し（図７）、主シャッタ１６から離間して、シャッタ構成部材１７から押圧力が加わらなくなるときには、副シャッタ２２を弾性復元力により第２の形態にすることができる。
【００７７】
（３）副湾曲溝部３８と主湾曲溝部３４との間隔Ｄ２を、副直線溝部３７と主直線溝部３３との間隔Ｄ１よりも大きく設定している（図２）。
そのため、副シャッタ２２が副直線溝部３７に位置するときには、同副シャッタ２２を、布テープ２１を介してシャッタ構成部材１７の湾曲面１８に間接的に接触させることができる。
【００７８】
また、副シャッタ２２が副湾曲溝部３８に位置するときには、同副シャッタ２２をシャッタ構成部材５２の湾曲面１８（布テープ２１）から離間させることができる。
（４）副湾曲溝部３８の副直線溝部３７との境界部分３８Ａでは、主ガイド溝部３２及び副ガイド溝部３６の間隔Ｄ３を、同副直線溝部３７から遠ざかるに従い徐々に拡大させている（図２）。
【００７９】
そのため、副シャッタ２２が上記境界部分３８Ａにおいて、副直線溝部３７から副湾曲溝部３８へ向けてスライドするときには、間隔Ｄ３を徐々に拡大させ、副シャッタ２２の湾曲形態を第１の形態から第２の形態に徐々に変化させ、湾曲形態の切替えをスムーズに行なうことができる。
【００８０】
また、副シャッタ２２が上記境界部分３８Ａにおいて、副湾曲溝部３８から副直線溝部３７へ向けてスライドするときには、間隔Ｄ３を徐々に縮小させ、副シャッタ２２の湾曲形態を第２の形態から第１の形態に徐々に変化させ、湾曲形態の切替えをスムーズに行なうことができる。
【００８１】
（５）副シャッタ２２の一部をレール部２６として機能させている（図６、図７）。
そのため、レール部２６において副シャッタ２２を副ガイド溝部３６に沿ってスライドさせることで、物入れ本体１１の開口部１２を開閉することができる。
【００８２】
また、副シャッタ２２とは別にレール部２６を設けなくてもすみ、その分、シャッタ１５、ひいてはシャッタ式物入れ１０の部品点数を少なくすることができる。また、別部材からなるレール部を副シャッタ２２に固定する必要もない。
【００８３】
（６）副シャッタ２２を、板状の軟質部２３と、その軟質部２３を副シャッタ２２の厚み方向についての外側から被覆する表皮２４と、内側から被覆するシート２５とによって構成する。表皮２４及びシート２５の各々において、軟質部２３から副ガイド溝部３６へ向けて延びる延出部２４Ａ，２５Ａを重ね合わせて互いに結合することで、レール部２６を形成している（図６、図７）。
【００８４】
そのため、軟質部２３によって副シャッタ２２を可撓性に富んだものとし、表皮２４によって副シャッタ２２を加飾し、シート２５によって軟質部２３の形状を保持することができる。また、表皮２４の延出部２４Ａ及びシート２５の延出部２５Ａを、硬質のレール部２６として機能させることができる。
【００８５】
（７）表皮２４の延出部２４Ａ及びシート２５の延出部２５Ａを、縫合により互いに結合させている。
そのため、両延出部２４Ａ，２５Ａを接着剤、粘着剤等によって接合させることが難しい場合であっても、両延出部２４Ａ，２５Ａを重ね合わせて縫合するといった簡単な作業を行なうだけで、両延出部２４Ａ，２５Ａを互いに結合させて、レール部２６を形成することができる。
【００８６】
なお、本発明は次に示す別の実施形態に具体化することができる。
＜主シャッタ１６について＞
・主シャッタ１６は、布テープ２１を用いることなく、複数のシャッタ構成部材１７が屈曲可能に連結された状態で一体に形成されたものであってもよい。
【００８７】
・図１０に示すように、シャッタ構成部材１７毎の湾曲面１８は、同シャッタ構成部材１７の厚み方向について、上記実施形態よりも外側へ大きく膨らむように湾曲したものであってもよい。
【００８８】
この場合、副シャッタ２２は、副直線溝部３７によるガイドに際し、幅方向には厚み方向についての外側へ大きく膨らむように湾曲する。そのため、各側壁部１４の頂面１４Ａを、副シャッタ２２（表皮２４）の厚み方向についての外側の面（湾曲した面）に連続するように傾斜させる（幅方向についての内側ほど高くなるように傾斜させる）ことが望ましい。
【００８９】
＜レール部２６について＞
・図９に示すように、レール部２６は、副シャッタ２２とは別部材によって構成されてもよい。この場合には、レール部２６を副シャッタ２２に固定する構造が別途必要となる。図９の変更例では、レール部２６の一部が表皮２４とシート２５とによって挟み込まれている。
【００９０】
この変更例の利点としては、レール部２６を副シャッタ２２の厚み方向についての内側（図９の下側）に配置できることが挙げられる。そのため、レール部２６が軟質部２３よりも幅方向についての外側へ延出する上記実施形態（図６、図７）に比べ、副シャッタ２２を幅方向に拡大することができる。
【００９１】
また、上記実施形態では、副シャッタ２２の幅方向についての両外側に、硬質の側壁部１４の頂面が露出したが、図９の変更例では、柔らかな副シャッタ２２が硬質の側壁部１４の上側に被さる。そのため、シャッタ式物入れ１０の幅方向についての両側部も柔らかくなり、同シャッタ式物入れ１０の肘置きとして使い勝手がさらによくなる。
【００９２】
＜副シャッタ２２について＞
・図１０に示すように、軟質部２３として、厚みが均一であることを条件に、上記実施形態よりも厚いものが用いられてもよい。
【００９３】
・上記実施形態では、軟質部２３として、厚みの均一な板状をなすものが用いられたが、図１２に示すように、軟質部２３として、幅方向における厚みが部位によって異なるもの、例えば、幅方向についての両外側部で厚みが最小となり、幅方向についての中央部で厚みが最大となるように成形されたものが用いられてもよい。各シャッタ構成部材１７の厚み方向についての外側の面は、平坦な面に形成される。
【００９４】
この場合、副湾曲溝部３８によるガイドに際し、副シャッタ２２が採る第２の形態は、スライド方向には同副湾曲溝部３８に沿って外側へ膨らむように湾曲し、幅方向には厚み方向についての外側へ膨らむように湾曲するものであってもよい。これは、副湾曲溝部３８によるガイドに際し、例えば副シャッタ２２を各シャッタ構成部材１７の湾曲面１８（布テープ２１）に接触させることで可能である。
【００９５】
＜ガイド溝部３１について＞
・シャッタ格納部１３では、主・副両ガイド溝部３２，３６は、その少なくとも一部において湾曲されていればよい。従って、残部３５，３９を有する上記実施形態とは異なり、シャッタ格納部１３では、主・副両ガイド溝部３２，３６の全体が、主・副湾曲溝部３４，３８のみによって構成されてもよい。
【００９６】
・シャッタ格納部１３では、主・副両ガイド溝部３２，３６の残部３５，３９の延びる方向が変更されてもよい。図２の二点鎖線は、その一例を示しており、残部３５，３９は略上下方向に延びている。
【００９７】
＜形態変更部について＞
・副シャッタ２２の幅方向の寸法は、同副シャッタ２２の厚み方向についての撓み量に応じて変化する。一方、副シャッタ２２がレール部２６において副ガイド溝部３６の内底面に当接した状態でスライドするものとすると、副シャッタ２２の上記撓み量は、両副ガイド溝部３６の間隔から影響を受ける。両副ガイド溝部３６の間隔が小さくなる従い、副シャッタ２２が多く撓み、幅方向の寸法が小さくなる。両副ガイド溝部３６の間隔が大きくなるに従い、副シャッタ２２の撓み量が少なくなり、幅方向の寸法が大きくなる。
【００９８】
そこで、図１１（Ａ），（Ｂ）に示すように、両副直線溝部３７の間隔Ｄ４が両副湾曲溝部３８や両残部３９の間隔Ｄ５よりも小さく設定されることで、形態変更部が構成されてもよい。
【００９９】
このようにすると、同図１１（Ａ）に示すように、副シャッタ２２は副直線溝部３７に位置するときには、副湾曲溝部３８及び残部３９に位置するときよりも多く撓ませられ、幅方向の寸法が小さくなって第１の形態にされる。
【０１００】
また、図１１（Ｂ）に示すように、副湾曲溝部３８及び残部３９に位置するときには、副直線溝部３７に位置するときよりも、副シャッタ２２の撓み量が少なくなり、幅方向の寸法が大きくなって同副シャッタ２２が第２の形態にされる。
【０１０１】
間隔に関する上記の条件（Ｄ４＜Ｄ５）を満たす副ガイド溝部３６は、それ単独で形態変更部とされてもよい。また、上記実施形態において、間隔に関する条件（Ｄ１＜Ｄ２）に対し、上記の条件（Ｄ４＜Ｄ５）が加えられてもよい。
【０１０２】
・上記の変更例に関連するが、図１１（Ｂ）に示すように、副湾曲溝部３８の副直線溝部３７との境界部分３８Ａでは、両副ガイド溝部３６の間隔Ｄ６が同副直線溝部３７から遠ざかるに従い徐々に拡大（ただし、Ｄ４＜Ｄ６＜Ｄ５）されてもよい。
【０１０３】
このようにすると、副シャッタ２２が、上記境界部分３８Ａにおいて、副直線溝部３７から副湾曲溝部３８へ向けてスライドするときには、両副ガイド溝部３６の間隔Ｄ６が徐々に拡大される。副シャッタの湾曲形態が、第１の形態から第２の形態に徐々に変化させられ、湾曲形態の切替えがスムーズに行なわれる。
【０１０４】
また、副シャッタ２２が、上記境界部分３８Ａにおいて、副湾曲溝部３８から副直線溝部３７へ向けてスライドするときには、両副ガイド溝部３６の間隔Ｄ６が徐々に縮小される。副シャッタ２２の湾曲形態が、第２の形態から第１の形態に徐々に変化させられ、湾曲形態の切替えがスムーズに行なわれる。
【０１０５】
＜その他＞
・本発明は、シャッタが水平方向にスライドさせられるタイプ（上記実施形態がこれに該当する）とは異なるタイプのシャッタ式物入れにも適用可能である。例えば、シャッタが鉛直方向（上下方向）にスライドさせられるタイプが挙げられる。また、本発明は、シャッタが鉛直面や水平面に対し斜めに交差する方向にスライドさせられるタイプのシャッタ式物入れにも適用可能である。
【０１０６】
・本発明は、自動車において、センターコンソールとは異なる箇所に組込まれるシャッタ式物入れにも適用可能である。
その他、前記各実施形態から把握できる技術的思想について、それらの効果とともに記載する。
【０１０７】
（Ａ）請求項１〜８のいずれか１つに記載のシャッタ式物入れにおいて、前記副ガイド溝部は、前記物入れ本体及び前記シャッタ格納部において、前記シャッタの幅方向についての両側で相対向する一対の側壁部に設けられており、
前記副ガイド溝部は、前記両湾曲溝部間の間隔が、前記両直線溝部間の間隔よりも大きく設定されることで前記形態変更部を構成するものである。
【０１０８】
可撓性を有するシート体からなる副シャッタは、厚み方向へ撓み得る。副シャッタの幅は、同副シャッタの撓み量に応じて変化する。一方、副シャッタが副ガイド溝部の内底面に当接した状態でスライドするものとすると、上記副シャッタの撓み量ひいては幅は、両副ガイド溝部の間隔から影響を受ける。両副ガイド溝部の間隔が小さくなる従い、副シャッタが多く撓み、幅が小さくなる。
【０１０９】
この点、上記（Ａ）に記載の発明では、両湾曲溝部間の間隔が、両直線溝部間の間隔よりも大きく設定されていることから、両直線溝部間でスライドするときには、両湾曲溝部間でスライドするときに比べ、副シャッタが多く撓み、幅が小さくなる。従って、両直線溝部間でスライドするときには副シャッタを第１の形態にし、両湾曲溝部間でスライドするときには副シャッタを第２の形態にすることが可能である。
【符号の説明】
【０１１０】
１０…シャッタ式物入れ、１１…物入れ本体、１２…開口部、１３…シャッタ格納部、１５…シャッタ、１６…主シャッタ、１７…シャッタ構成部材、１８…湾曲面、２２…副シャッタ、２３…軟質部、２４…表皮、２４Ａ，２５Ａ…延出部、２５…シート、２６…レール部、３１…ガイド溝部、３２…主ガイド溝部、３６…副ガイド溝部（形態変更部）、３７…副直線溝部（直線溝部）、３８…副湾曲溝部（湾曲溝部）、３８Ａ…境界部分、Ｄ１〜Ｄ３…間隔。
【図１】
2013204256.tif 000003
【図２】
2013204256.tif 000004
【図３】
2013204256.tif 000005
【図４】
2013204256.tif 000006
【図５】
2013204256.tif 000007
【図６】
2013204256.tif 000008
【図７】
2013204256.tif 000009
【図８】
2013204256.tif 000010
【図９】
2013204256.tif 000011
【図１０】
2013204256.tif 000012
【図１１】
2013204256.tif 000013
【図１２】
2013204256.tif 000014
【図１３】
2013204256.tif 000015